(57)【特許請求の範囲】
【請求項１】
他の携帯端末装置との間で短距離無線通信を行う短距離通信部と、
自端末の位置を検出する位置検出部と、
前記短距離通信部による前記他の携帯端末装置との間で継続中の短距離無線通信が切断されたことが検出されると、前記他の携帯端末装置の電話番号を記憶する記憶部を参照し、携帯電話通信網を介して、前記位置検出部により検出された前記自端末の位置を示す位置情報を前記他の携帯端末装置に所定の時間間隔で逐次送信し、前記他の携帯端末装置の位置を示す位置情報を前記他の携帯端末装置から所定の時間間隔で逐次受信する携帯電話通信部と、
前記短距離無線通信が切断されたことが検出されると、地図データと前記位置検出部により検出された前記自端末の位置と前記携帯電話通信部により受信された位置情報が示す前記他の携帯端末装置の位置とを表示し、前記位置検出部により検出された前記自端末の位置から前記携帯電話通信部により受信された位置情報が示す前記他の携帯端末装置の位置までのナビゲーションを行うナビゲーション部と、
を備えることを特徴とする携帯端末装置。
【請求項２】
請求項１に記載の携帯端末装置であって、
前記位置検出部は、前記携帯電話通信部が位置情報を受信すると作動し、前記自端末の位置を検出する、
ことを特徴とする携帯端末装置。
【請求項３】
請求項１又は２に記載の携帯端末装置であって、
前記ナビゲーション部は、前記他の携帯端末装置から受信した位置情報が示す位置と前記位置検出部により検出された位置情報が示す位置との間の距離を演算する、
ことを特徴とする携帯端末装置。
【請求項４】
請求項３に記載の携帯端末装置であって、
前記携帯電話通信部は、前記ナビゲーション部により演算された距離が所定距離以上になると、前記他の携帯端末装置に向けて呼を発生させる、
ことを特徴とする携帯端末装置。
【請求項５】
前記短距離無線通信は、Ｂｌｕｅｔｏｏｔｈ（登録商標）にて行われる、
ことを特徴とする請求項１から４の何れか１項に記載の携帯端末装置。
【請求項６】
コンピュータを備える携帯端末装置における制御方法であって、
前記コンピュータが、他の携帯端末装置との間で短距離無線通信を行う短距離通信ステップと、
前記コンピュータが、前記携帯端末装置の位置を検出する位置検出ステップと、
前記コンピュータが、前記他の携帯端末装置との間で継続中の短距離無線通信が切断されたことが検出されると、前記他の携帯端末装置の電話番号を記憶する記憶部を参照し、携帯電話通信網を介して、前記位置検出ステップで検出された前記携帯端末装置の位置を示す位置情報を前記他の携帯端末装置に所定の時間間隔で逐次送信し、前記他の携帯端末装置の位置を示す位置情報を前記他の携帯端末装置から所定の時間間隔で逐次受信する携帯電話通信ステップと、
前記コンピュータが、前記短距離無線通信が切断されたことが検出されると、地図データと前記位置検出ステップで検出された前記携帯端末装置の位置と前記携帯電話通信ステップで受信された位置情報が示す前記他の携帯端末装置の位置とを表示し、前記位置検出ステップで検出された前記携帯端末装置の位置から前記携帯電話通信ステップで受信された位置情報が示す前記他の携帯端末装置の位置までのナビゲーションを行うナビゲーションステップと、
を有することを特徴とする制御方法。
【請求項７】
コンピュータを備える携帯端末装置のためのプログラムであって、前記コンピュータに、
他の携帯端末装置との間で短距離無線通信を行う短距離通信ステップと、
前記携帯端末装置の位置を検出する位置検出ステップと、
前記他の携帯端末装置との間で継続中の短距離無線通信が切断されたことが検出されると、前記他の携帯端末装置の電話番号を記憶する記憶部を参照し、携帯電話通信網を介して、前記位置検出ステップで検出された前記携帯端末装置の位置を示す位置情報を前記他の携帯端末装置に所定の時間間隔で逐次送信し、前記他の携帯端末装置の位置を示す位置情報を前記他の携帯端末装置から所定の時間間隔で逐次受信する携帯電話通信ステップと、
前記短距離無線通信が切断されたことが検出されると、地図データと前記位置検出ステップで検出された前記携帯端末装置の位置と前記携帯電話通信ステップで受信された位置情報が示す前記他の携帯端末装置の位置とを表示し、前記位置検出ステップで検出された前記携帯端末装置の位置から前記携帯電話通信ステップで受信された位置情報が示す前記他の携帯端末装置の位置までのナビゲーションを行うナビゲーションステップと、
を実行させることを特徴とするプログラム。
【発明の詳細な説明】
【技術分野】
【０００１】
本発明は、携帯端末装置、その制御方法及びプログラムに関し、更に詳しくは、他の端末との間で短距離無線通信を行う機能と、自端末の位置検出を行う機能とを備えた携帯端末装置、その制御方法及びプログラムに関する。
【背景技術】
【０００２】
近年、携帯電話機等の携帯端末装置では、ブルートゥース（Bluetooth：エスアイジー，インコーポレイテッド社の登録商標）にて他の外部機器との間で短距離無線通信を行う機能や、ＧＰＳ（Global Positioning Systems）にて衛星からの電波を受信して自端末の位置検出を行う機能を備えたものが知られている（例えば、特許文献１）。
【０００３】
特許文献１には、携帯電話通信網が混雑により使用できない状況下で、互いの電話番号及びＧＰＳ機能により取得した位置情報を、ブルートゥース無線で相互にやり取りし、自端末の位置及び他の端末の位置を、地図データと共に表示することが記載されている。
【０００４】
【特許文献１】特開２００３−２３０１７３号公報
【特許文献２】特開２００６−２７９６２８号公報
【発明の開示】
【発明が解決しようとする課題】
【０００５】
特許文献１に記載の技術では、ＧＰＳ機能及びブルートゥース無線を利用して、互いの位置情報を取得するためには、利用者自身が携帯電話機の操作方法を予め把握していなければならない。例えば、混雑している観光地等に家族で訪れた際に、携帯電話機の操作方法を把握していない子供が迷子になると、子供が持っている携帯電話機から親が持っている携帯電話機に位置情報が送信されない。このため、親が持っている携帯電話機は、子供が持っている携帯電話機の位置情報を取得できず、子供を捜し出すことが困難となる。さらに、上記携帯電話機では、子供が迷子になったときに親が直ぐに気付くことができない。
【０００６】
特許文献２には、ブルートゥース無線等による外部装置との間での通信品質の劣化を検出し、品質劣化が所定の閾値を下回ると、警報を通知する携帯情報端末装置が記載されている。そこで、特許文献１に記載の携帯電話機に、特許文献２に記載されたブルートゥース無線の通信品質が劣化した際に警報を通知する技術を適用すれば、子供が迷子になったときに親が直ぐに気付くことができる。
【０００７】
しかし、混雑した観光地等では、警報を通知するだけでは、不十分であり、しかも一度迷子になってしまうと、自分が持っている携帯電話機の位置情報を親の携帯電話機に送信できない子供を、親が捜し出すのは困難となる。この際に、子供に持たせた携帯電話機の電話番号に親が電話をかけて通話をしても、初めて訪れた観光地などでは土地勘もないため、子供から位置に関する適切な情報を得られない限り、子供を短時間で捜すことは容易ではない。
【０００８】
本発明は、相手の携帯端末の位置情報を自動的に取得できる携帯端末装置、その制御方法及びプログラムを提供することを目的とする。
【課題を解決するための手段】
【０００９】
上記目的を達成するために、本発明の第１の観点に係る携帯端末装置は、
他の携帯端末装置との間で短距離無線通信を行う短距離通信部と、
自端末の位置を検出する位置検出部と、
前記短距離通信部による前記他の携帯端末装置との間で継続中の短距離無線通信が切断されたことが検出されると、前記他の携帯端末装置の電話番号を記憶する記憶部を参照し、携帯電話通信網を介して、前記位置検出部により検出された前記自端末の位置を示す位置情報を前記他の携帯端末装置に所定の時間間隔で逐次送信し、前記他の携帯端末装置の位置を示す位置情報を前記他の携帯端末装置から所定の時間間隔で逐次受信する携帯電話通信部と、
前記短距離無線通信が切断されたことが検出されると、地図データと前記位置検出部により検出された前記自端末の位置と前記携帯電話通信部により受信された位置情報が示す前記他の携帯端末装置の位置とを表示し、前記位置検出部により検出された前記自端末の位置から前記携帯電話通信部により受信された位置情報が示す前記他の携帯端末装置の位置までのナビゲーションを行うナビゲーション部と、
を備えることを特徴とする。
【００１１】
また、本発明の第２の観点に係る携帯端末装置における制御方法は、コンピュータを備える携帯端末装置における制御方法であって、
前記コンピュータが、他の携帯端末装置との間で短距離無線通信を行う短距離通信ステップと、
前記コンピュータが、前記携帯端末装置の位置を検出する位置検出ステップと、
前記コンピュータが、前記他の携帯端末装置との間で継続中の短距離無線通信が切断されたことが検出されると、前記他の携帯端末装置の電話番号を記憶する記憶部を参照し、携帯電話通信網を介して、前記位置検出ステップで検出された前記携帯端末装置の位置を示す位置情報を前記他の携帯端末装置に所定の時間間隔で逐次送信し、前記他の携帯端末装置の位置を示す位置情報を前記他の携帯端末装置から所定の時間間隔で逐次受信する携帯電話通信ステップと、
前記コンピュータが、前記短距離無線通信が切断されたことが検出されると、地図データと前記位置検出ステップで検出された前記携帯端末装置の位置と前記携帯電話通信ステップで受信された位置情報が示す前記他の携帯端末装置の位置とを表示し、前記位置検出ステップで検出された前記携帯端末装置の位置から前記携帯電話通信ステップで受信された位置情報が示す前記他の携帯端末装置の位置までのナビゲーションを行うナビゲーションステップと、
を有することを特徴とする。
【００１２】
また、本発明の第３の観点に係るプログラムは、コンピュータを備える携帯端末装置のためのプログラムであって、前記コンピュータに、
他の携帯端末装置との間で短距離無線通信を行う短距離通信ステップと、
前記携帯端末装置の位置を検出する位置検出ステップと、
前記他の携帯端末装置との間で継続中の短距離無線通信が切断されたことが検出されると、前記他の携帯端末装置の電話番号を記憶する記憶部を参照し、携帯電話通信網を介して、前記位置検出ステップで検出された前記携帯端末装置の位置を示す位置情報を前記他の携帯端末装置に所定の時間間隔で逐次送信し、前記他の携帯端末装置の位置を示す位置情報を前記他の携帯端末装置から所定の時間間隔で逐次受信する携帯電話通信ステップと、
前記短距離無線通信が切断されたことが検出されると、地図データと前記位置検出ステップで検出された前記携帯端末装置の位置と前記携帯電話通信ステップで受信された位置情報が示す前記他の携帯端末装置の位置とを表示し、前記位置検出ステップで検出された前記携帯端末装置の位置から前記携帯電話通信ステップで受信された位置情報が示す前記他の携帯端末装置の位置までのナビゲーションを行うナビゲーションステップと、
を実行させることを特徴とする。
【発明の効果】
【００１３】
本発明の携帯端末装置、その制御方法及びプログラムによると、他の携帯端末との間での短距離無線通信の切断を検出すると、自端末の位置情報を自動的に他の携帯端末に送信することで、他の携帯端末は相手の位置情報を自動的に取得できる。
【発明を実施するための最良の形態】
【００１４】
以下、図面を参照して、本発明の例示的な実施の形態について詳細に説明する。図１は、本発明の一実施形態に係る携帯端末装置を用いた通信システムの構成を示す図である。通信システム１００は、携帯端末装置である携帯電話機２０Ａ，２０Ｂと、基地局を介して通信を行うための携帯電話通信網（電話通信網）２１と、地上に電波を送信しているＧＰＳ衛星の衛星網２２とを備える。携帯電話機２０Ａ，２０Ｂは、電話通信網２１を介して通話やデータの送受信を行う機能と、衛星網２２を介して自端末の位置検出を行うＧＰＳ機能（位置検出機能）とを有する。さらに、携帯電話機２０Ａ，２０Ｂは、図示のように、電話通信網２１を経由せずに、ブルートゥースによる近距離無線通信（以下、ブルートゥース通信という）２３を行う機能を有する。
【００１５】
図２は、携帯電話機２０Ａ，２０Ｂの機能を示すブロック図である。携帯電話機２０Ａ，２０Ｂは、それぞれＧＰＳ受信部１ａ，１ｂと、ＧＰＳ用アンテナ２ａ，２ｂと、ブルートゥース用アンテナ３ａ，３ｂと、ブルートゥース通信部４ａ，４ｂと、送受信用アンテナ５ａ，５ｂと、送受信部６ａ，６ｂとを備える。さらに、携帯電話機２０Ａ，２０Ｂは、それぞれ表示手段７ａ，７ｂと、制御部８ａ，８ｂと、呼出手段１１ａ，１１ｂとを備える。また、制御部８ａ，８ｂは、それぞれ演算部９ａ，９ｂと記憶部１０ａ，１０ｂとを有する。
【００１６】
ブルートゥース通信部４ａは、ブルートゥース用アンテナ３ａを介して、携帯電話機２０Ｂのブルートゥース通信部４ｂと短距離無線通信を行い、通信が切断される等の信号品質の劣化を検出すると品質劣化信号を制御部８ａに送出する。ＧＰＳ受信部１ａは、ＧＰＳ用アンテナ２ａを介して、衛星網２２からの電波を受信して自端末の位置検出を行い、位置情報を制御部８ａに送出する。制御部８ａは、該位置情報を送受信部６ａに送出する。
【００１７】
送受信部６ａは、制御部８ａから送出された位置情報を、携帯電話機２０Ｂの電話番号を記憶する記憶部１０ａを参照して、送受信用アンテナ５ａを介して、電話通信網２１経由で携帯電話機２０Ｂに送信する。また、送受信部６ａは、携帯電話機２０Ｂから送信された携帯電話機２０Ｂの位置情報を受信し、制御部８ａに送出する。
【００１８】
演算部９ａは、位置検出された携帯電話機２０Ａの位置情報と、受信した携帯電話機２０Ｂの位置情報とに基づいて、携帯電話機２０Ａ，２０Ｂ間の距離を算出する。表示手段７ａは、ＬＣＤ（Liquid Crystal Display）等であって、携帯電話機２０Ａ，２０Ｂの位置情報を地図データと共に表示する。呼出手段１１ａは、スピーカ等であって、記憶部１０ａに予め記憶されている呼出音や音声データを出力する。
【００１９】
次に、図３を参照して、本発明の第１の実施形態に係る携帯端末装置の制御方法を説明する。以下では、一例として、混雑した観光地に親子で訪れた状況を想定する。なお、携帯電話機２０Ａ，２０Ｂは、共通の機能を有するものとし、それぞれを親子で所持しているものとする。なお、携帯電話機２０Ａ，２０Ｂの何れから先に位置情報を送信するかは、予め設定される。ここでは、携帯電話機２０Ａから携帯電話機２０Ｂに先に送信されるものとする。
【００２０】
まず、制御部８ａ，８ｂは、それぞれ携帯電話機２０Ａ（図中、携帯電話機Ａと示す）と携帯電話機２０Ｂ（図中、携帯電話機Ｂと示す）が、ブルートゥース通信部４ａ及びブルートゥース通信部４ｂにてブルートゥース通信中に通信が切断したか否かを判定する（ステップＳ１，Ｓ２）。
【００２１】
ステップＳ２で通信が切断すると、携帯電話機２０Ａのブルートゥース通信部４ａは、制御部８ａに品質劣化信号を送出し、続いて制御部８ａは、記憶部１０ａに格納されている呼出信号を呼出手段１１ａに送出し、呼出手段１１ａから呼出音を鳴動させる（ステップＳ３）。
【００２２】
さらに、携帯電話機２０Ａは、ＧＰＳ受信部１ａがＧＰＳ用アンテナ２ａを介して衛星網２２からの電波を受信し、自端末の位置検出を行い、位置情報Ａを制御部８ａに送出する（ステップＳ４）。制御部８ａは、位置情報Ａを、送受信部６ａ、送受信用アンテナ５ａ及び電話通信網２１を介して、携帯電話機２０Ｂに送信する（ステップＳ５）。なお、この送信は、所定の時間間隔で逐次行う。
【００２３】
一方、携帯電話機２０Ｂでは、携帯電話機２０Ａと同様な動作をステップＳ８，Ｓ９で行い、続いて、制御部８ｂは、ＧＰＳ受信部１ｂによる位置検出で得た位置情報Ｂを、携帯電話機２０Ａに送信する（ステップＳ１０）。
【００２４】
次に、携帯電話機２０Ａでは、携帯電話機２０Ｂから電話通信網２１を介して送信された位置情報Ｂを受信し（ステップＳ６）、続いて、表示手段７ａが位置情報Ａ，Ｂを携帯電話機２０Ａ，２０Ｂの現在位置情報として地図データと共に表示する（ステップＳ７）。
【００２５】
一方、携帯電話機２０Ｂでは、携帯電話機２０Ａと同様な動作として、携帯電話機２０Ａから電話通信網２１を介して送信された位置情報Ａを受信し（ステップＳ１１）、さらに、表示手段７ｂが位置情報Ａ，Ｂを携帯電話機２０Ａ，２０Ｂの現在位置情報として地図データと共に表示する（ステップＳ１２）。
【００２６】
本実施形態の制御方法によれば、携帯電話機２０Ａ，２０Ｂ間のブルートゥース通信が切断されると呼出音を鳴動することで、携帯電話機２０Ａ，２０Ｂを所持する親子に対して互いが離れていることを報知できる。また、子供が迷子になったとしても、双方の表示手段７ａ，７ｂには、携帯電話機２０Ａ，２０Ｂの現在位置情報が地図データと共に自動的に表示される。従って、携帯電話機２０Ａ，２０Ｂの操作方法を子供が把握していなくても、ブルートゥース通信が切断されることで、携帯電話機２０Ａ，２０Ｂを所持する親子の位置を自動的に表示できるから、親は、表示された位置を参照して、迷子になった子供を捜すことが容易となる。
【００２７】
次に、図４を参照して、第１の実施形態の変形例について説明する。この変形例では、図３に示した携帯電話機２０Ａ，２０Ｂの制御方法でのステップＳ７，Ｓ１２の処理の後に、ナビゲーションに関するステップＳ１３〜Ｓ１８の処理を追加している。変形例では、ステップＳ７で携帯電話機２０Ａ，２０Ｂの現在位置情報が地図データと共に表示手段７ａに表示された後に、制御部８ａは、携帯電話機２０Ｂの位置までナビゲーションを行うか否かを利用者に適宜選択可能とする（ステップＳ１３）。ステップＳ１３でナビゲーションを行わないのであれば終了となり（ステップＳ１４）、ナビゲーションを行う場合には、携帯電話機２０Ｂまでのナビゲーションを開始する（ステップＳ１５）。
【００２８】
一方、携帯電話機２０Ｂでは、携帯電話機２０Ａと同様の動作を行い、ステップＳ１２で携帯電話機２０Ａ，２０Ｂの現在位置情報が地図データと共に表示手段７ｂに表示された後に、制御部８ｂは、携帯電話機２０Ａまでのナビゲーションを行うか否かを利用者が適宜選択可能とする（ステップＳ１６）。ステップＳ１６でナビゲーションを行わないのであれば終了となり（ステップＳ１７）、また、ナビゲーションを行う場合には、携帯電話機２０Ａまでのナビゲーションを開始する（ステップＳ１８）。なお、ステップＳ１５，Ｓ１８でナビゲーションを開始すると、携帯電話機２０Ａ，２０Ｂを所持する親子の現在位置を表示手段７ａ，７ｂに表示するために、位置情報Ｂは、所定の時間間隔で携帯電話機２０Ａに逐次送信され、位置情報Ａも、所定の時間間隔で携帯電話機２０Ｂに逐次送信される。
【００２９】
本変形例では、双方の表示手段７ａ，７ｂには、携帯電話機２０Ａ，２０Ｂの現在位置情報が地図データと共に自動的に表示されるだけでなく、携帯電話機２０Ａ，２０Ｂを所持している利用者（親子）に、相手の現在地までナビゲーションを行うことができる。従って、子供が迷子になっても、混乱せずにスムーズに相手を捜すことができる。
【００３０】
次に、図５を参照して、本発明の第２の実施形態に係る携帯端末装置の制御方法を説明する。まず、制御部８ａ，８ｂは、それぞれ携帯電話機２０Ａ，２０Ｂが、ブルートゥース通信部４ａ，４ｂでブルートゥース通信中に通信が切断したか否かを判定する（ステップＳ２１，Ｓ２２）。
【００３１】
ステップＳ２２で通信が切断すると、携帯電話機２０Ａは、ＧＰＳ受信部１ａがＧＰＳ用アンテナ２ａを介して衛星網２２からの電波を受信し、自端末の位置検出を行い、位置情報Ａを制御部８ａ内の演算部９ａに送出する（ステップＳ２３）。制御部８ａは、位置情報Ａを、送受信部６ａ、送受信用アンテナ５ａ及び電話通信網２１を介して、携帯電話機２０Ｂに送信する（ステップＳ２４）。
【００３２】
一方、携帯電話機２０Ｂでは、同様な動作をステップＳ３３で行い、続いて、制御部８ｂは、ＧＰＳ受信部１ｂによる位置検出で得た位置情報Ｂを、携帯電話機２０Ａに送信する（ステップＳ３４）。
【００３３】
次に、携帯電話機２０Ａでは、携帯電話機２０Ｂから電話通信網２１を介し、さらに送受信用アンテナ５ａ及び送受信部６ａを経由して位置情報Ｂを受信し、位置情報Ｂを制御部８ａ内の演算部９ａに送出する（ステップＳ２５）。次に、制御部８ａ内の演算部９ａは、入力された位置情報Ａ，Ｂに基づいて携帯電話機２０Ａ，２０Ｂ間の距離を算出する（ステップＳ２６）。
【００３４】
制御部８ａは、ステップＳ２６で算出した距離算出結果が、携帯電話機２０Ａの所持者が予め設定した設定距離以下であるか否かを判定し（ステップＳ２７）、設定距離以下であれば、上記ステップＳ２２に戻る。一方、ステップＳ２７で設定距離以上であれば、制御部８ａは、記憶部１０ａに格納されている呼出信号を呼出手段１１ａに送出し、呼出手段１１ａから呼出音を鳴動させる（ステップＳ２８）。
【００３５】
続いて、表示手段７ａは、携帯電話機２０Ａ，２０Ｂの現在位置情報を地図データと共に表示する（ステップＳ２９）。次に、制御部８ａは、携帯電話機２０Ｂまでのナビゲーションを行うか否かを利用者が適宜選択可能とする（ステップＳ３０）。ステップＳ３０でナビゲーションを行わないのであれば終了となり（ステップＳ３１）、ナビゲーションを行う場合には、携帯電話機２０Ｂまでのナビゲーションを開始する（ステップＳ３２）。
【００３６】
一方、携帯電話機２０Ｂでは、上記ステップＳ２５〜Ｓ３２と同様の動作を、ステップＳ３５〜Ｓ４２で行う。即ち、携帯電話機２０Ｂでは、ステップＳ３５で位置情報Ａを携帯電話機２０Ａから受信し、ステップＳ３６で演算部９ｂにより携帯電話機２０Ａ，２０Ｂ間の距離が算出され、ステップＳ３７で算出した距離が携帯電話機２０Ｂの所持者が予め設定した設定距離以下であるか否かが判定される。
【００３７】
続いて、携帯電話機２０Ｂは、ステップＳ３８で距離算出結果が設定距離以上であれば、呼出手段１１ｂから呼出音を鳴動させ、ステップＳ３９で表示手段７ｂに携帯電話機２０Ａ，２０Ｂの現在位置情報を地図データと共に表示する。その後に、携帯電話機２０Ｂは、ステップＳ４０で携帯電話機２０Ａまでのナビゲーションを行うか否かを利用者が適宜選択可能とし、ナビゲーションを行わないのであれば、ステップＳ４１で終了となり、ナビゲーションを行う場合には、ステップＳ４２でナビゲーションを開始する。
【００３８】
本実施形態の制御方法によれば、ブルートゥース通信が切断されると、携帯電話機２０Ａ，２０Ｂが互いに位置情報を送受信して、双方の距離を自動的に算出した上で、双方の距離が設定距離以上となると、呼出音で利用者（親子）にそれぞれ報知できる。このようにすれば、ブルートゥース通信が単に切断されただけでなく、双方の距離が設定距離以上となったことを、利用者にスムーズに報知することになり、その上で、ナビゲーションを行えば、迷子になった子供を容易に捜し出すことができる。
【００３９】
次に、図６を参照して、本発明の第３の実施形態に係る携帯端末装置の制御方法を説明する。ここでは、上記各実施形態とは異なり、携帯電話機２０Ａと携帯電話機２０Ｂとが別々の機能を有している。以下では、一例として、携帯電話機２０Ａを親が所持する専用機とし、携帯電話機２０Ｂを子供が所持する専用機として説明する。なお、以下に示す各処理のうち、図５に示した各処理と同一処理については同一符号を付し、説明を適宜省略する。
【００４０】
まず、制御部８ａ，８ｂは、それぞれ携帯電話機２０Ａ，２０Ｂがブルートゥース通信部４ａ，４ｂでブルートゥース通信中に通信が切断したか否かを判定する（ステップＳ２１，Ｓ２２）。ステップＳ２２で通信が切断すると、携帯電話機２０Ａでは、ＧＰＳ受信部１ａがＧＰＳ用アンテナ２ａを介して衛星網２２からの電波を受信し、自端末の位置検出を行い、位置情報Ａを制御部８ａ内の演算部９ａに送出する（ステップＳ２３）。
【００４１】
一方、携帯電話機２０Ｂでは、ＧＰＳ受信部１ｂがＧＰＳ用アンテナ２ｂを介して衛星網２２からの電波を受信し、自端末の位置検出を行い、位置情報Ｂを制御部８ｂに送出する（ステップＳ３３）。続いて、制御部８ｂは、位置情報Ｂを送受信部６ｂ、送受信用アンテナ５ｂ及び電話通信網２１を介して、携帯電話機２０Ａに送信する（ステップＳ３４）。
【００４２】
次に、携帯電話機２０Ａでは、携帯電話機２０Ｂから電話通信網２１を介し、さらに送受信用アンテナ５ａ、送受信部６ａを経由して位置情報Ｂを受信し、位置情報Ｂを制御部８ａ内の演算部９ａに送出する（ステップＳ２５）。次に、制御部８ａ内の演算部９ａは、入力された位置情報Ａ，Ｂに基づいて携帯電話機２０Ａ，２０Ｂ間の距離を算出する（ステップＳ２６）。
【００４３】
制御部８ａは、ステップＳ２６で算出した距離算出結果が、携帯電話機２０Ａの利用者（親）が予め設定した設定距離以下であるか否かを判定し（ステップＳ２７）、設定距離以下であれば、上記ステップＳ２２に戻る。一方、ステップＳ２７で設定距離以上であれば、制御部８ａは、記憶部１０ａに格納されている呼出信号を呼出手段１１ａに送出し、呼出手段１１ａから呼出音を鳴動させる（ステップＳ２８）。
【００４４】
次に、携帯電話機２０Ａでは、表示手段７ａに現在位置情報を表示するか否かを利用者が選択可能とし（ステップＳ５１）、表示しない場合は終了となり（ステップＳ５２）、現在位置情報を表示する場合は、ステップＳ５３及びステップＳ５６の処理に進む。ここで、現在位置を表示しない状況としては、呼出音が鳴動することで、親が子供を直ぐに見つけることができ、子供が迷子にならずに済んだ場合が考えられる。
【００４５】
一方、呼出音が鳴動した際に、親の視界に子供が入っておらず、子供が迷子になった状況では、親の対応としては、子供に連絡を取ること、また、子供の位置までナビゲーションを開始することが考えられる。ステップＳ５３では、携帯電話機２０Ａが、携帯電話機２０Ｂに向けて電話通信網２１を介して、呼出要求信号を発信する（ステップＳ５３）。
【００４６】
次に、携帯電話機２０Ｂは、携帯電話機２０Ａからの呼出要求信号を、送受信用アンテナ５ｂ、送受信部６ｂを介して受信して、さらに制御部８ｂに送出する（ステップＳ５４）。続いて、制御部８ｂは、記憶部１０ｂに格納されている呼出信号を呼出手段１１ｂに送出し、呼出手段１１ｂから呼出音を鳴動させる（ステップＳ５５）。
【００４７】
ステップＳ５６では、携帯電話機２０Ａが、表示手段７ａに携帯電話機２０Ａ，２０Ｂの現在位置情報を地図データと共に表示する。続いて、制御部８ａは、携帯電話機２０Ｂの位置までナビゲーションするか否かを利用者（親）が適宜選択可能とし（ステップＳ５７）、ナビゲーションしないときは終了となる（ステップＳ５８）。ここで、ナビゲーションをしない状況としては、表示手段７ａに現在位置情報が表示されただけで、親が自分の位置から子供の位置までの経路を把握でき、ナビゲーションに頼らないで済む場合が考えられる。
【００４８】
一方、ステップＳ５７で携帯電話機２０Ｂの位置までナビゲーションをする場合には、携帯電話機２０Ｂまでのナビゲーションを開始する（ステップＳ６２）。ナビゲーションを行う状況としては、初めて訪れた観光地で土地勘もなく、表示手段７ａに現在位置情報が表示されただけでは、子供を捜すことが困難である場合が考えられる。
【００４９】
さらに、ナビゲーションを開始しても、子供が現在位置から移動するとスムーズに捜し出すことが困難となる。そこで、携帯電話機２０Ａでは、ステップＳ５７の後に、携帯電話機２０Ｂに向けて電話通信網２１を介して、音声再生要求信号を発信する（ステップＳ５９）。
【００５０】
携帯電話機２０Ｂでは、携帯電話機２０Ａからの音声再生要求信号を、送受信用アンテナ５ｂ、送受信部６ｂを介して受信して、制御部８ｂに送出する（ステップＳ６０）。続いて、制御部８ｂは、記憶部１０ｂに格納されている音声データを呼出手段１１ｂに送出し、呼出手段１１ｂから録音音声を再生する（ステップＳ６１）。ステップＳ６１で再生される音声によって、携帯電話機２０Ｂを所持している子供に対して、例えば、携帯電話機２０Ａを所持している親がナビゲーションで移動中である旨が通知される。
【００５１】
本実施形態の制御方法によれば、子供の現在位置まで親がナビゲーションで向かう場合に、ナビゲーションで移動中であることを子供に音声で通知できる。その結果として、土地勘がない観光地で子供が迷子になり、さらに、子供が携帯電話機２０Ｂの操作に不慣れであっても、親子が行き違いになることを防止し、より迅速に子供を捜し出すことができる。
【００５２】
次に、図７を参照して、第３の実施形態の変形例について説明する。この変形例では、図６で示した携帯電話機２０Ａ，２０Ｂの制御方法でのステップＳ５７の処理の後に、携帯電話機２０Ｂの呼出手段１１ｂから録音音声を再生させるためのステップＳ５９〜Ｓ６１の処理に代えて、表示手段７ｂに通知文を表示する処理を行っている。本変形例では、携帯電話機２０Ａが、ステップＳ５７で携帯電話機２０Ｂの位置までナビゲーションを行う場合には、ナビゲーションの開始と共に（ステップＳ６２）、携帯電話機２０Ｂに向けて電話通信網２１を介して、表示要求信号を発信する（ステップＳ７０）。
【００５３】
携帯電話機２０Ｂでは、携帯電話機２０Ａからの表示要求信号を、送受信用アンテナ５ｂ、送受信部６ｂを介して受信して、制御部８ｂに送出する（ステップＳ７１）。続いて、制御部８ｂは、記憶部１０ｂに格納されている表示信号を表示手段７ｂに送出し、表示手段７ｂにメッセージ文を表示する（ステップＳ７２）。ステップＳ７２で表示されるメッセージ文によって、携帯電話機２０Ｂを所持している子供に対して、例えば、携帯電話機２０Ａを所持している親がナビゲーションで移動中である旨が通知される。
【００５４】
本変形例では、子供が携帯電話機２０Ｂの操作に不慣れであり、通話が困難な聴覚障害者であっても、親子が行き違いになることを防止し、より迅速に子供を捜し出すことができる。
【００５５】
上記図６及び図７に示す制御方法では、携帯電話機２０Ａ，２０Ｂの距離が設定距離以上となったときに、携帯電話機２０Ａから携帯電話機２０Ｂに向けて発呼を行うようにしたが、これに限定されない。即ち、携帯電話機２０Ａ，２０Ｂのいずれが先に発呼を行うかは適宜に設定してもよく、子供が所持する携帯電話機２０Ｂから親が所持する携帯電話機２０Ａに発呼を行ってもよい。
【００５６】
また、上記各実施形態では、ブルートゥース通信が切断されると、ＧＰＳ受信部１ａ，１ｂにより自端末の位置検出を行うようにしたが、これに限定されず、相手の位置情報を受信してから、自端末の位置検出を行ってもよい。また、位置検出機能は、近距離無線通信が切断される前から予め作動させておいて、切断を検出した際に直ちに位置情報を送信してもよい。また、位置情報の送信は、所定の時間間隔で逐次送信することにしてもよい。
【００５７】
以上、本発明をその好適な実施形態に基づいて説明したが、本発明の携帯端末装置、その制御方法及びプログラムは、上記実施形態の構成にのみ限定されるものではなく、上記実施形態の構成から種々の修正及び変更を施したものも、本発明の範囲に含まれる。
【図面の簡単な説明】
【００５８】
【図１】本発明の一実施形態に係る携帯端末装置を用いた通信システムの構成を示す図。
【図２】携帯端末装置の機能を示すブロック図。
【図３】本発明の第１の実施形態に係る携帯端末装置の動作を示すフローチャート。
【図４】本発明の第１の実施形態の変形例に係る携帯端末装置の動作を示すフローチャート。
【図５】本発明の第２の実施形態に係る携帯端末装置の動作を示すフローチャート。
【図６】本発明の第３の実施形態に係る携帯端末装置の動作を示すフローチャート。
【図７】本発明の第３の実施形態の変形例に係る携帯端末装置の動作を示すフローチャート。
【符号の説明】
【００５９】
１ａ，１ｂ：ＧＰＳ受信部
２ａ，２ｂ：ＧＰＳ用アンテナ
３ａ，３ｂ：ブルートゥース用アンテナ
４ａ，４ｂ：ブルートゥース通信部
５ａ，５ｂ：送受信用アンテナ
６ａ，６ｂ：送受信部
７ａ，７ｂ：表示手段
８ａ，８ｂ：制御部
９ａ，９ｂ：演算部
１０ａ，１０ｂ：記憶部
１１ａ，１１ｂ：呼出手段
２０Ａ，２０Ｂ：携帯電話機
２１：電話通信網
２２：衛星網
２３：短距離無線通信
１００：通信システム
【図１】
0005217654.tif 000002
【図２】
0005217654.tif 000003
【図３】
0005217654.tif 000004
【図４】
0005217654.tif 000005
【図５】
0005217654.tif 000006
【図６】
0005217654.tif 000007
【図７】
0005217654.tif 000008